(57)【要約】【課題】複数の受信装置に波長の異なる音映像光信号を同時に伝送できるようにすると共に、各々の受信装置で、所望の音映像を出力できるようにする。【解決手段】送信装置３から表示装置１−１〜１−ｎへ音声映像光信号を伝送する場合であって、送信装置３は、音声映像光信号の送信先を特定する波長で表示装置１−１〜１−ｎへ経路設定用光信号を送信し、この経路設定用光信号に対する応答光信号を該表示装置から受信し、この応答光信号に基づいて各々の波長と送信先の表示装置とを対応付け、音声映像光信号を波長分割多重して経路切替装置２に送信するものである。【選択図】        図１
2007318255.tif 000002
【特許請求の範囲】
【請求項１】
音映像の送信装置から音映像の受信装置へ音映像光信号を伝送するシステムであって、
前記音映像光信号の送信先を特定する波長で前記受信装置へ経路設定用光信号を送信する送信装置と、
当該波長の経路設定用光信号を受信し、その後、前記送信装置へ前記経路設定用光信号に対する応答光信号を送信する受信装置と、
光信号の光路を分離する光路分離装置と、
前記送信装置と前記光路分離装置とを接続し、更に、当該光路分離装置と二以上の前記受信装置とを接続する光信号伝送路とを備え、
前記送信装置は、
前記応答光信号に基づいて各々の前記波長と送信先の受信装置とを対応付け、対応付けられた各々の前記波長に基づいて音映像光信号を波長分割多重して前記光路分離装置に送信し、
前記光路分離装置は、
前記波長分割多重された音映像光信号を分離して各々の受信装置に送信することを特徴とする光信号伝送システム。
【請求項２】
前記受信装置は、
前記光路分離装置に受信装置本体が接続された場合に、前記光路分離装置を介して前記送信装置へ接続通知光信号を送信し、
前記送信装置は、
前記受信装置から送信された前記接続通知光信号を受信し、受信後、前記経路設定用光信号を前記光路分離装置を介して前記受信装置へ送信することを特徴とする請求項１に記載の光信号伝送システム。
【請求項３】
前記光路分離装置は、
前記音映像光信号の波長に基づいて当該音映像光信号の光路を分離する光路分離手段と、
前記受信装置から送信された１以上の応答光信号を合波する光合波手段とを備えることを特徴とする請求項１に記載の光信号伝送システム。
【請求項４】
前記光路分離手段は、
１以上の波長から構成される光信号の中から所定の当該光信号を分離するグレーティング構造を有することを特徴とする請求項３に記載の光信号伝送システム。
【請求項５】
前記光路分離手段は、
１以上の波長から構成される光信号の中から所定の当該光信号を分離する薄膜構造を有することを特徴とする請求項３に記載の光信号伝送システム。
【請求項６】
前記光路分離手段は、
１以上の波長から構成される光信号の中から所定の当該光信号を分離するプリズムを備えることを特徴とする請求項３に記載の光信号伝送システム。
【請求項７】
音映像の送信系から音映像の受信系へ音映像光信号を伝送する方法であって、
前記送信系と二以上の受信系とを光路分離手段を介して接続するステップと、
前記送信系から前記受信系へ前記音映像光信号の送信先を特定する波長で経路設定用光信号を送信するステップと、
前記光路分離手段に接続された受信系により当該波長の経路設定用光信号を受信し、その後、前記送信系へ前記経路設定用光信号に対する応答光信号を送信するステップと、
前記光路分離手段に接続された送信系により各々の前記波長と送信先の受信系とを対応付け、対応付けられた各々の前記波長に基づいて音映像光信号を波長分割多重して前記受信系に送信するステップと、
前記波長分割多重された音映像光信号を前記光路分離手段により分離して各々の受信系に送信するステップと
を有することを特徴とする光信号伝送方法。
【請求項８】
音映像の送信装置から音映像の受信装置へ伝送する音映像光信号の光路を分離する装置であって、
前記音映像光信号の波長に基づいて当該音映像光信号の光路を分離する光路分離手段と、
前記受信装置から送信された１以上の光信号を合波する光合波手段とを備えることを特徴とする光路分離装置。
【発明の詳細な説明】
【技術分野】
【０００１】
動画などの音声映像情報を光信号として伝送するシステムに適用可能な光信号伝送システム、光信号伝送方法、及び光路分離装置に関するものである。
【０００２】
詳しくは、送信装置が、音映像光信号の送信先を特定する波長で受信装置へ経路設定用光信号を送信し、この経路設定用光信号に対する応答光信号を受信装置から受信し、この応答光信号に基づいて各々の波長と送信先の受信装置とを対応付け、音映像光信号を波長分割多重して光路分離装置に送信することにより、光路分離装置に接続された受信装置に波長の異なる音映像光信号を同時に伝送できるようにすると共に、各々の受信装置で、所望の音映像を出力できるようにする。
【背景技術】
【０００３】
従来、音声映像信号を送信する送信装置と音声映像信号を表示する表示装置とを接続する手段として使用されてきたのは、比較的短距離の電気ケーブルが主であった。例えば、アナログ伝送では、Ｄ端子ケーブルが使用され、デジタル伝送では、ＨＤＭＩ（High-Definition Multimedia Interface）ケーブルが使用されている。これらの電気ケーブルが使用されてきたのは、音声映像信号が低ビットレート、低周波であることや、伝送距離が短かったことに起因する。
【０００４】
近年、デジタル放送や次世代光ディスクの普及に伴い、標準解像度（Standard Definition; SD）のみならず、高解像度（High Definition; HD）映像を鑑賞することが増加している。この場合、音声映像光信号を送信する送信装置と光信号の経路切替装置と音声映像光信号を受信して表示する表示装置とが光ケーブルで接続され、送信装置から送信された音声映像光信号は、経路切替装置により光信号の伝送経路が切り替えられて表示装置へ伝送される。
【０００５】
例えば、特許文献１には、放送・通信サービスを支援する光加入者ネットワークシステムが開示されている。この光加入者ネットワークシステムによれば、時分割多重方式を使用することで、１以上の映像信号を単一の発光素子、受光素子、及び光信号伝送路で伝送する。これにより、信号ごとに光信号の波長を変えないで光信号を多重して伝送できるようになる。
【０００６】
特許文献２には、光映像分配装置が開示されている。この光映像分配装置によれば、外部からの光信号は第１光スイッチの入力チャネルに入力され、所望の出力チャネルから出力されるように経路が変更されて出力される。この出力された光信号は、送出装置により第２光スイッチの入力チャネルに戻されると共に外部に送出される。該第２光スイッチに戻された光信号は、該第２光スイッチで所望の出力チャネルから出力されるように経路が変更されて出力される。以上のような光信号の入出力が第１光スイッチ及び第２光スイッチで繰り返されることにより、１つの光信号を複数の出力チャネルに分配することができ、ノンブロッキングな光スイッチを構成できるようになる。
【０００７】
特許文献３には、テレビカメラによる複数チャネルの映像信号を光信号に変換して一つの光伝送路で遠隔地に伝送する多チャネル映像伝送システムが開示されている。多チャネル映像伝送システムによれば、テレビカメラ自体に映像信号を光信号に変換して出力する機能を持たせ、さらに各テレビカメラから出力される光信号の波長を互いに異ならせるか、または各テレビカメラから出力される光信号を外部で互いに異なる波長に変換して同一の光ファイバにより波長多重伝送し、受信側で各波長の光信号を分離してから電気信号に変換して処理するようにしたものである。これにより、複数台のテレビカメラで得られた映像信号を一つの光ファイバで波長多重光信号として遠隔伝送することができる。
【０００８】
【特許文献１】特開２００５−７３２６７号公報（第６頁、第３図）
【特許文献２】特開２００４−４３１６号公報（第４頁、第１図）
【特許文献３】特開２００１−５７５３６号公報（第３頁、第１図）
【発明の開示】
【発明が解決しようとする課題】
【０００９】
ところで、従来例に係る光信号の伝送方法によれば、送信装置から送信された音声映像光信号は、経路切替装置によりこの光信号の伝送経路が切り替えられて表示装置へ伝送される。このとき、表示装置が複数存在する場合、所望のコンテンツを所望の表示装置に伝送する必要があるが、同時に複数の表示装置に所望の音声映像光信号を最適に伝送することは難しい。また、経路切替装置が電源を必要とする場合が多く、必然的に電源近傍にこの装置を設置する必要があり、経路切替装置の設置場所の自由度が制限される。
【００１０】
特許文献１によれば、時分割多重方式を使用することで、１以上の映像信号を単一の発光素子、光信号伝送路で伝送している。このため、多重化後の信号のビットレートが多重化前に比べて高くなるので、このような高いビットレートの信号に対応した発光素子および受光素子を実装することは難しい。また、光−電気変換後に多重信号を分離するので、光−電気変換後からディスプレイまでの伝送距離が電気伝送可能な距離に制限されるため、長距離伝送は困難である。
【００１１】
特許文献２によれば、光信号が所望の出力チャネルから出力されるように第１光スイッチ及び第２光スイッチの経路が変更されているが、第１光スイッチ及び第２光スイッチの経路を切り替えるための制御信号を外部から別途供給する必要がある。また、経路切り替えのために電力供給が必要である。また更に、電気機器３１及び３３から出力される電気信号を切り替えるセレクタ３３は、外部から供給される図示しない制御信号によって制御されているので、信号送信先から映像信号源へ制御信号を送信する場合を実現することが難しい。
【００１２】
特許文献３によれば、テレビカメラによる複数チャネルの映像信号を光信号に変換して一つの光伝送路で遠隔地のＴＶモニタ１０に伝送しているが、ＴＶモニタ１０が１台しか想定されておらず、２台以上のＴＶモニタが接続された場合に、システムが機能しない可能性がある。また、光信号の波長を設定する波長可変レーザ２２を切り替える波長切替制御部２３への制御信号を漠然と外部から手動／自動のいずれかによって与えているので、信号送信先から映像信号源へ制御信号を送信する場合、問題が発生するおそれがある。
【００１３】
そこで、本発明はこのような従来例に係る課題を解決したものであって、複数の受信装置に波長の異なる音映像光信号を同時に伝送できるようにすると共に、各々の受信装置で所望の音映像を出力できるようにした光信号伝送システム、光信号伝送方法、及び光路分離装置を提供することを目的とする。
【課題を解決するための手段】
【００１４】
上述した課題を解決するために、本発明に係る請求項１に記載の光信号伝送システムは、音映像の送信装置から音映像の受信装置へ音映像光信号を伝送するシステムであって、前記音映像光信号の送信先を特定する波長で前記受信装置へ経路設定用光信号を送信する送信装置と、当該波長の経路設定用光信号を受信し、その後、前記送信装置へ前記経路設定用光信号に対する応答光信号を送信する受信装置と、光信号の光路を分離する光路分離装置と、前記送信装置と前記光路分離装置とを接続し、更に、当該光路分離装置と二以上の前記受信装置とを接続する光信号伝送路とを備え、前記送信装置は、前記応答光信号に基づいて各々の前記波長と送信先の受信装置とを対応付け、対応付けられた各々の前記波長に基づいて音映像光信号を波長分割多重して前記光路分離装置に送信し、前記光路分離装置は、前記波長分割多重された音映像光信号を分離して各々の受信装置に送信することを特徴とするものである。
【００１５】
本発明に係る光信号伝送システムによれば、音映像の送信装置から音映像の受信装置へ音映像光信号を伝送する場合であって、送信装置は、音映像光信号の送信先を特定する波長で受信装置へ経路設定用光信号を送信する。受信装置は、当該波長の経路設定用光信号を受信し、その後、送信装置へ経路設定用光信号に対する応答光信号を送信する。光路分離装置は、光信号の光路を分離する。光信号伝送路により送信装置と光路分離装置とが接続され、更に、当該光路分離装置と二以上の受信装置とが接続される。
【００１６】
送信装置は、受信した応答光信号に基づいて各々の波長と送信先の受信装置とを対応付け、対応付けられた各々の波長に基づいて音映像光信号を波長分割多重して光路分離装置に送信し、光路分離装置は、波長分割多重された音映像光信号を分離して各々の受信装置に送信する。これにより、光路分離装置に接続された受信装置に波長の異なる音映像光信号を同時に伝送できるようになる。従って、各々の受信装置で、所望の音映像を受信できるようになる。
【００１７】
上述した課題を解決するために、本発明に係る請求項７に記載の光信号伝送方法は、音映像の送信系から音映像の受信系へ音映像光信号を伝送する方法であって、前記送信系と二以上の受信系とを光路分離手段を介して接続するステップと、前記送信系から前記受信系へ前記音映像光信号の送信先を特定する波長で経路設定用光信号を送信するステップと、前記光路分離手段に接続された受信系により当該波長の経路設定用光信号を受信し、その後、前記送信系へ前記経路設定用光信号に対する応答光信号を送信するステップと、前記光路分離手段に接続された送信系により各々の前記波長と送信先の受信系とを対応付け、対応付けられた各々の前記波長に基づいて音映像光信号を波長分割多重して前記受信系に送信するステップと、前記波長分割多重された音映像光信号を前記光路分離手段により分離して各々の受信系に送信するステップとを有することを特徴とするものである。
【００１８】
本発明に係る光信号伝送方法によれば、光路分離手段に接続された受信系に波長の異なる音映像光信号を同時に伝送できるようになる。従って、各々の受信系で、所望の音映像を受信できるようになる。
【００１９】
上述した課題を解決するために、本発明に係る請求項８に記載の光路分離装置は、音映像の送信装置から音映像の受信装置へ伝送する音映像光信号の光路を分離する装置であって、前記音映像光信号の波長に基づいて当該音映像光信号の光路を分離する光路分離手段と、前記受信装置から送信された１以上の光信号を合波する光合波手段とを備えることを特徴とするものである。
【００２０】
本発明に係る光路分離装置によれば、音映像の送信装置から音映像の受信装置へ伝送する音映像光信号の光路を分離する場合であって、光路分離手段は、音映像光信号の波長に基づいて当該音映像光信号の光路を分離する。光合波手段は、受信装置から送信された１以上の光信号を合波する。これにより、光路分離装置に接続された受信装置に波長の異なる音映像光信号を同時に伝送できるようになる。
【発明の効果】
【００２１】
本発明に係る光信号伝送システムおよび光信号伝送方法によれば、音映像の送信装置から音映像の受信装置へ音映像光信号を伝送する場合であって、送信装置は、音映像光信号の送信先を特定する波長で受信装置へ経路設定用光信号を送信し、この経路設定用光信号に対する応答光信号を受信装置から受信し、この応答光信号に基づいて各々の波長と送信先の受信装置とを対応付け、音映像光信号を波長分割多重して光路分離装置に送信するものである。
【００２２】
この構成によって、光路分離装置に接続された受信装置に波長の異なる音映像光信号を同時に伝送できるようになる。従って、各々の受信装置で、所望の音映像を受信できるようになる。これにより、所望の映画、テレビ映像などを各々の受信装置で出力できるようになる。
【００２３】
また、本発明に係る光路分離装置によれば、音映像の送信装置から音映像の受信装置へ伝送する音映像光信号の光路を分離する場合であって、光路分離手段により音映像光信号の波長に基づいて当該音映像光信号の光路を分離し、光合波手段により受信装置から送信された１以上の光信号を合波するものである。この構成によって、光路分離装置に接続された受信装置に波長の異なる音映像光信号を同時に伝送できるようになる。
【発明を実施するための最良の形態】
【００２４】
続いて、本発明に係る光信号伝送システム、光信号伝送方法、及び光路分離装置について、図面を参照しながら説明をする。
【実施例１】
【００２５】
図１は、本発明に係る第１の実施例としての音声映像光信号の伝送システム１００の構成例を示すブロック図である。図１に示す伝送システム１００は、光信号伝送システムの一例を構成し、音声映像信号の表示装置１−１、１−２、・・・、１−ｎ（ｎは表示装置１の最大接続数）、経路切替装置２、音声映像信号の送信装置３、第１の光ファイバ８、及び第３の光ファイバ１０を備える。表示装置１は、光ファイバ８を介して経路切替装置２に接続され、この経路切替装置２は、光ファイバ１０を介して送信装置３に接続される。音声映像信号は、例えば映画、テレビ映像などの動画情報である。光ファイバ８及び１０は、光ファイバ中を両方向の信号が伝搬する一芯全二重通信がなされる。
【００２６】
音声映像信号の表示装置１は、受信装置の一例を構成し、音声映像光信号の送信先を特定する波長に設定された経路設定用光信号を送信装置３から受信し、その後、送信装置３へこの経路設定用光信号に対する応答光信号を送信する。また、送信装置３から音声映像光信号を受信して図示しないモニタなどに映像を表示すると共にスピーカーなどから音声を出力する。
【００２７】
ここで、経路設定用光信号とは、波長λＤ１の光信号、波長λＤ２の光信号、・・・、波長λＤｎの光信号までの各光信号をいう。また、応答光信号とは、表示装置１−１〜１−ｎの各固有識別子と波長λＤ１〜波長λＤｎとの対応関係の情報を含んでいる信号をいう。例えば、表示装置１−１の応答光信号には、波長「λＤ１」と表示装置１−１の固有識別子「Ａ−００１」の情報が含まれる。なお、この波長λＤ１の決定方法は、図２で説明する。
【００２８】
表示装置１は１−１〜１−ｎ、光ファイバ８は８−１〜８−ｎほど備えられ、各々の表示装置が各々の光ファイバを介して経路切替装置２に接続される。例えば、表示装置１−１は、光ファイバ８−１を介して経路切替装置２に接続される。なお、光ファイバ８及び１０は、伝送可能な光波長、帯域、距離が満たされれば、その材料や構造は不問である。
【００２９】
表示装置１−１は、例えば、受光素子４−１、発光素子５−１及び光信号のＩ／Ｏポート６−１を備える。受光素子４−１及び発光素子５−１は、Ｉ／Ｏポート６−１、光ファイバ８−１を介して経路切替装置２に接続される。受光素子４−１は、波長λＤ１〜波長λＤｎの全ての光信号を受光することが可能な素子であり、経路切替装置２から光信号を受光してこの光信号を電気信号に変換する。発光素子５−１は、接続通知光信号などの所定波長を発光することが可能な素子であり、電気信号を光信号に変換して経路切替装置２へ光信号を発光する。
【００３０】
例えば、新たに、表示装置１−１が光ファイバ８−１を介して経路切替装置２に接続された場合、表示装置１−１は、経路切替装置２を介して接続通知光信号を送信装置３へ送信する。送信後、表示装置１−１は、送信装置３から経路設定用光信号を受信し、この経路設定用光信号の波長と表示装置１−１の固有識別子との情報を含んだ信号を応答光信号として送信装置３へ送信する。なお、表示装置１−２〜１−ｎに関しても同様の構成および作用である。
【００３１】
経路切替装置２は、光路分離装置の一例を構成し、光ファイバ８を介して表示装置１に接続され、この表示装置１から送信される接続通知光信号および応答光信号を受信して送信装置３へ送信する。また、経路切替装置２は、光ファイバ１０を介して送信装置３に接続され、この送信装置３から送信される経路設定用光信号又は音声映像光信号を受信してこれらの光信号を分離して伝送経路を切り替えて各々の表示装置１−１〜１−ｎへ送信する。
【００３２】
例えば、経路切替装置２は、経路切替手段１２−１〜１２−ｎ、光信号合波器１３、光信号のＩ／Ｏポート１４−１〜１４−ｎ、光信号のＩ／Ｏポート１６を備える。
【００３３】
光信号合波器１３は、光合波手段の一例を構成し、Ｉ／Ｏポート１４−１〜１４−ｎ、光ファイバ８−１〜８−ｎを介して表示装置１−１〜１−ｎに接続され、例えば応答光信号を表示装置１−１〜１−ｎから受信し、これらの応答光信号を合波してＩ／Ｏポート１６、光ファイバ１０を介して送信装置３へ送信する。
【００３４】
経路切替手段１２−１は、Ｉ／Ｏポート１６、光ファイバ１０を介して送信装置３に接続され、この送信装置３から音声映像光信号又は経路設定用光信号を受信する。経路切替手段１２−２は、経路切替手段１２−１に接続され、経路切替手段１２−３は、経路切替手段１２−２に接続され、経路切替手段１２−ｎは、経路切替手段１２−ｎ−１に接続される。
【００３５】
経路切替手段１２−１は、例えば、送信装置３から送信される音声映像光信号を当該光信号の波長に基づいて分離して伝送経路を切り替え、Ｉ／Ｏポート１４−１、光ファイバ８−１を介して音声映像光信号を表示装置１−１へ伝送する。経路切替手段１２−２は、経路切替手段１２−１を通過した音声映像光信号を当該光信号の波長に基づいて分離して伝送経路を切り替え、Ｉ／Ｏポート１４−２、光ファイバ８−２を介して音声映像光信号を表示装置１−２へ伝送する。同様にして、経路切替手段１２−ｎは、経路切替手段１２−ｎ−１を通過した音声映像光信号を当該光信号の波長に基づいて分離して伝送経路を切り替え、Ｉ／Ｏポート１４−ｎ、光ファイバ８−ｎを介して音声映像光信号を表示装置１−ｎへ伝送する。
【００３６】
例えば、経路切替手段１２−１は、１以上の波長から構成される光信号の中から波長λＤ１の光信号のみを分離し、Ｉ／Ｏポート１４−１、光ファイバ８−１を介して波長λＤ１の音声映像光信号を表示装置１−１へ伝送する。このとき、経路切替手段１２−１は、他の波長の光信号を通過させて経路切替手段１２−２へ出力する。経路切替手段１２−２は、１以上の波長から構成される光信号の中から波長λＤ２の光信号のみを分離し、Ｉ／Ｏポート１４−２、光ファイバ８−２を介して波長λＤ２の音声映像光信号を表示装置１−２へ伝送する。このとき、経路切替手段１２−２は、他の波長の光信号を通過させて経路切替手段１２−３へ出力する。このようにして、経路切替手段１２−ｎまで波長に応じて光信号の分離を続ける。経路切替装置２は、経路切替手段１２−ｎまで波長に応じて光信号の分離を続けるので、確実に該波長の光信号を表示装置１−１〜１−ｎへ伝送できるようになる。
【００３７】
なお、経路切替装置２に経路切替手段１２をｎ個ほど設けたが、経路切替手段１２の設置個数をｎ−１個にしてもよい。この場合、経路切替手段１２−ｎ−１を通過した光信号は、自動的に表示装置１−ｎへ伝送される。これにより、経路切替手段１２の設置個数を減少できるようになる。
【００３８】
音声映像信号の送信装置３は、送信装置３の一例を構成し、光ファイバ１０を介して経路切替装置２に接続され、表示装置１から送信された接続通知光信号を受信し、受信後、音声映像光信号の送信先を特定する波長で表示装置１へ経路設定用光信号を送信する。また、送信装置３は、表示装置１からの応答光信号に基づいて各々の波長と送信先の表示装置１とを対応付け、対応付けられた各々の波長に基づいて音声映像光信号を波長分割多重して経路切替装置２に送信する。
【００３９】
例えば、送信装置３は、表示装置１−１及び１−２から送信された接続通知光信号を受信し、受信後、音声映像光信号の送信先を特定する波長で表示装置１−１〜１−ｎへ経路設定用光信号を送信する。送信後、送信装置３は、表示装置１−１及び１−２からの応答光信号に基づいて例えば波長λＤ１、λＤ２と送信先の表示装置１−１及び１−２とを対応付け、対応付けられた波長λＤ１、λＤ２に基づいて音声映像光信号を波長分割多重して経路切替装置２に送信する。
【００４０】
これにより、経路切替装置２に接続された表示装置１−１に波長λＤ１の音映像光信号を伝送でき、更に、表示装置１−２に波長λＤ２の音映像光信号を伝送できるようになる。従って、表示装置１−１及び１−２で、所望の映画、テレビ映像などを受信して出力できるようになる。同様にして、表示装置１−３〜１−ｎに対しても波長λＤ３〜波長λＤｎの音映像光信号を伝送できるようになる。
【００４１】
送信装置３は、例えば、受光素子１９、制御部２０、制御信号生成部２１、信号合波器２２、音声映像信号生成部２３、信号切替器２４、発光素子２５、光信号合波器２６、及び光信号のＩ／Ｏポート２７を備える。
【００４２】
受光素子１９は、接続通知光信号などの所定波長を受光することが可能な素子であり、Ｉ／Ｏポート２７、光ファイバ１０を介して経路切替装置２に接続される。受光素子１９は、接続通知光信号などの所定波長の光を受光することが可能な素子であり、経路切替装置２を介して表示装置１から送信された接続通知光信号又は応答光信号を受光して光信号を電気信号に変換し、変換後の電気信号を制御部２０へ出力する。
【００４３】
制御部２０は、受光素子１９に接続され、受光素子１９から電気信号を入力する。接続通知信号の電気信号を入力した場合、制御部２０は、この電気信号に基づいて、制御信号生成部２１に経路設定用信号を出力するように制御する。
【００４４】
応答信号の電気信号を入力した場合、制御部２０は、この電気信号に基づいて、音声映像信号の波長と固有識別子とを関連付ける。例えば、入力した応答信号に、固有識別子「Ａ−００１」と波長「λＤ１」との情報が含まれていた場合、制御部２０は、固有識別子「Ａ−００１」と波長「λＤ１」との対応関係を図３に示す波長対照一覧テーブル２８に追加して保持する。同様にして、表示装置１−２〜１−ｎの固有識別子と波長λＤ２〜λＤｎとの対応関係についても波長対照一覧テーブル２８に追加して保持される。これにより、表示装置１−１〜１−ｎが受信する音声映像光信号の波長情報λＤ１〜λＤｎを送信装置３で取得できるようになる。
【００４５】
制御信号生成部２１は、制御部２０に接続され、この制御部２０で表示装置１からの接続通知信号を受信した場合、波長λＤの経路設定用信号を生成して信号合波器２２へ出力する。
【００４６】
信号合波器２２は、制御信号生成部２１および音声映像信号生成部２３に接続され、制御信号生成部２１から出力される経路設定用信号と音声映像信号生成部２３から出力される音声映像信号とを入力して合波し、合波された信号を信号切替器２４へ出力する。
【００４７】
信号切替器２４は、信号合波器２２および制御部２０に接続され、信号合波器２２から経路設定用信号又は音声映像信号を入力し、制御部２０から波長を制御する波長制御信号を入力する。信号切替器２４は、この波長制御信号に基づいて音声映像信号および経路設定用信号を発光素子２５−１〜２５−ｎのいずれかに切り替えて出力する。
【００４８】
発光素子２５−１〜２５−ｎは、波長λＤ１〜波長λＤｎの光を発光することが可能な素子であり、信号切替器２４に接続され、この信号切替器２４から音声映像信号および経路設定用信号を入力してこれらの電気信号を光信号に変換して光信号合波器２６へ光信号を発光する。
【００４９】
光信号合波器２６は、発光素子２５−１〜２５−ｎに接続され、これらの発光素子２５−１〜２５−ｎから光信号を入力して合波し、合波後、Ｉ／Ｏポート２７、光ファイバ１０を介して経路切替装置２へ出力する。これにより、送信装置３は、音声映像光信号および経路設定用信号の波長を設定して波長分割多重し、表示装置１−１〜１−ｎへ同時に光信号を伝送できるようになる。なお、経路切替手段１２や表示装置１などの個数は、使用する発光素子２５の種類によって異なる場合がある。
【００５０】
図２は、表示装置１−１と波長を対応付ける例を示すシーケンスチャートである。図２に示す表示装置１−１が光ファイバ８−１を介して経路切替装置２に接続された場合、表示装置１−１は、経路切替装置２へ接続通知光信号Ｓ１を送信して経路設定用光信号Ｓ２の待機状態となる。経路切替装置２は、この接続通知光信号Ｓ１を受信して送信装置３へこの接続通知光信号Ｓ１を送信する。
【００５１】
送信装置３は、経路切替装置２から送信された接続通知光信号Ｓ１を受信し、波長λＤ１〜λＤｎの経路設定用光信号Ｓ２を光ファイバ１０を介して経路切替装置２へ送信する。
【００５２】
経路切替装置２は、波長λＤ１〜λＤｎの経路設定用光信号Ｓ２を受信し、表示装置１−１〜１−ｎに対して、波長λＤ１〜波長λＤｎの経路設定用光信号Ｓ２を送信する。例えば、表示装置１−１には、波長λＤ１の経路設定用光信号Ｓ２を送信し、表示装置１−２には、波長λＤ２の経路設定用光信号Ｓ２を送信し、表示装置１−ｎには、波長λＤｎの経路設定用光信号Ｓ２を送信する。
【００５３】
表示装置１−１〜１−ｎは、これらの経路設定用光信号Ｓ２を受信する。このとき、経路設定用光信号Ｓ２の待機状態である表示装置１−１のみが、応答光信号Ｓ３を経路切替装置２へ送信する。表示装置１−２〜１−ｎは、経路設定用光信号Ｓ２を受信しても応答光信号Ｓ３を経路切替装置２へ送信しない。経路切替装置２は、表示装置１−１から応答光信号Ｓ３を受信してこの応答光信号Ｓ３を送信装置３へ送信する。
【００５４】
送信装置３の制御部２０は、この応答光信号Ｓ３を受信して、応答光信号Ｓ３に基づいて、音声映像信号の波長と固有識別子とを関連付ける。例えば、入力した応答光信号Ｓ３に、固有識別子「Ａ−００１」と波長「λＤ１」との情報が含まれていた場合、制御部２０は、固有識別子「Ａ−００１」と波長「λＤ１」との対応関係を図３に示す波長対照一覧テーブル２８に追加して保持する。これにより、送信装置３は、例えば表示装置１−１から所望の音声映像信号を要求された場合、この波長対照一覧テーブル２８を参照して波長を決定し、決定された波長で音声映像光信号を経路切替装置２へ送信できるようになる。同様にして表示装置１−２〜１−ｎから接続通知光信号Ｓ１が出力された場合、表示装置１−２〜１−ｎに対しても固有識別子と波長との対応関係が波長対照一覧テーブル２８に追加されて保持される。従って、送信装置３は、この波長対照一覧テーブル２８を参照して波長を設定し、波長が設定された音声映像光信号を経路切替装置２へ波長分割多重送信できるようになる。
【００５５】
図３は、波長対照一覧テーブル２８の例を示す説明図である。図３に示す波長対照一覧テーブル２８は、図示しない送信装置３のハードディスクやフラッシュＲＯＭ（Read Only Memory）などに保存され、「固有識別子」と「波長」の項目を有する。この固有識別子は、表示装置１−１〜１−ｎの固有の識別子であり、例えばこの固有識別子には、ＭＡＣ（Media Access Control）アドレスなどが使用される。固有識別子の項目には、これらの識別子が登録される。波長の項目には、波長λＤ１〜波長λＤｎの情報が登録される。
【００５６】
制御部２０により固有識別子ごとにいずれかの波長が決定され、固有識別子と波長との対応関係がこのテーブルに追加されて保持される。制御部２０は、例えば表示装置１−１（固有識別子がＡ−００１）から所望の音声映像信号を要求された場合、この波長対照一覧テーブル２８を参照して固有識別子「Ａ−００１」を検索キーにしてテーブルを検索し、検索後、「Ａ−００１」に合致した波長「λＤ１」で音声映像信号を光信号に変換するように信号切替器２４を制御する。これにより、送信装置３は、例えば表示装置１−１から所望の音声映像信号が要求された場合、この波長対照一覧テーブル２８を参照して波長「λＤ１」を決定し、決定された波長「λＤ１」で音声映像信号を光信号に変換して経路切替装置２へ送信できるようになる。
【００５７】
続いて、表示装置１−１と波長λＤ１を対応付ける場合における動作例を表示装置１、経路切替装置２、送信装置３の順番で説明する。
【００５８】
図４は、表示装置１の動作例を示すフローチャートである。図４に示すフローチャートのステップＴ１では、表示装置１−ｉ（ｉは任意）が経路切替装置２に接続される。例えば、表示装置１−１が、光ファイバ８−１を介して経路切替装置２に接続されてステップＴ２へ移行する。
【００５９】
ステップＴ２では、経路切替装置２を介して接続通知光信号を送信装置３へ送信する。例えば、表示装置１−１は、光ファイバ８−１、経路切替装置２、光ファイバ１０を介して接続通知光信号を送信装置３へ送信してステップＴ３へ移行する。
【００６０】
ステップＴ３では、経路切替装置２を介して送信装置３から送信された経路設定用光信号を表示装置１−ｋ（ｋ＝１，２，・・・ｎ）で受信する。例えば、表示装置１−１は、送信装置３から波長λＤ１の経路設定用光信号を受信してステップＴ４へ移行する。
【００６１】
ステップＴ４では、接続通知光信号を送信した表示装置（１−ｉ）と経路設定用光信号を受信した表示装置（１−ｋ）とが同一であるかを判定する。例えば、表示装置１−１が接続通知光信号を送信した場合、表示装置１−１は、待機状態となって送信装置３からの経路設定用光信号を一定時間待つ。送信装置３からの経路設定用光信号を受信した場合、ステップＴ５へ移行する。
【００６２】
ステップＴ５では、経路切替装置２を介して応答光信号を送信装置３へ送信する。例えば、表示装置１−１は、経路設定用光信号の波長「λＤ１」と表示装置１−１の固有識別子「Ａ−００１」との情報を含んだ信号を応答光信号として送信装置３へ送信する。これにより、送信装置３は、表示装置１−１が受信する音声映像光信号の波長情報λＤ１を取得できるようになる。なお、表示装置１−１は、送信装置３からの経路設定用光信号を受信しなかった場合、応答光信号を送信しない。
【００６３】
図５は、経路切替装置２の動作例を示すフローチャートである。図５に示すフローチャートのステップＵ１では、表示装置１から接続通知光信号を受信してこの光信号を送信装置３へ送信する。例えば、光信号合波器１３は、接続通知光信号を表示装置１−１から受信し、この接続通知光信号を合波してＩ／Ｏポート１６、光ファイバ１０を介して送信装置３へ送信してステップＵ２へ移行する。
【００６４】
ステップＵ２では、送信装置３から経路設定用光信号を受信して伝送経路を切り替え、Ｉ／Ｏポート１４−ｋへこの光信号を出力する。例えば、経路切替手段１２−１は、送信装置３から送信された波長λＤ１の経路設定用光信号を当該光信号の波長λＤ１に基づいて分離して伝送経路を切り替え、Ｉ／Ｏポート１４−１、光ファイバ８−１を介してこの経路設定用光信号を表示装置１−１へ伝送してステップＵ３へ移行する。
【００６５】
ステップＵ３では、表示装置１から応答光信号を受信してこの応答光信号を送信装置３へ送信する。例えば、光信号合波器１３は、表示装置１−１から応答光信号を受信してこの応答光信号を合波してＩ／Ｏポート１６、光ファイバ１０を介して送信装置３へ送信する。例えば、この応答光信号には、波長「λＤ１」と表示装置１−１の固有識別子「Ａ−００１」の情報が含まれる。これにより、送信装置３は、波長情報λＤ１に基づいて音声映像光信号を波長分割多重し、表示装置１−１へ音声映像光信号を伝送できるようになる。
【００６６】
図６は、送信装置３の動作例を示すフローチャートである。図６に示すフローチャートのステップＶ１では、経路切替装置２を介して表示装置１から送信された接続通知光信号を受信する。例えば、受光素子１９は、Ｉ／Ｏポート２７、光ファイバ１０を介して表示装置１−１から送信された接続通知光信号を受光して光信号を電気信号に変換し、変換後の電気信号を制御部２０へ出力してステップＶ２及びＶ３へ移行する。
【００６７】
ステップＶ２及びＶ３では、ｋ←１を代入して発光素子を発光素子２５−１（波長λＤ１）に切り替える。例えば、制御部２０は、制御信号生成部２１に波長λＤの経路設定用信号を出力するように制御し、この経路設定用信号を発光素子２５−１に出力するように信号切替器２４を切り替えてステップＶ４へ移行する。
【００６８】
ステップＶ４では、タイマーのカウントを開始する。例えば、制御部２０は、信号切替器２４を切り替えた時に、図示しないタイマーのカウントを開始してステップＶ５へ移行する。
【００６９】
ステップＶ５では、経路切替装置２を介して表示装置１へ音声映像光信号の表示装置１を特定する波長で経路設定用光信号を送信する。例えば、発光素子２５−１は、信号切替器２４から経路設定用信号を入力してこの信号の電気信号を波長λＤ１の光信号に変換して光信号合波器２６へ波長λＤ１の経路設定用光信号を発光する。光信号合波器２６は、発光素子２５−１から経路設定用光信号を入力して合波し、合波後の経路設定用光信号をＩ／Ｏポート２７、光ファイバ１０、経路切替装置２を介して表示装置１−１へ送信してステップＶ６へ移行する。
【００７０】
ステップＶ６では、経路切替装置２を介して表示装置１から応答光信号を受信する。例えば、受光素子１９は、Ｉ／Ｏポート２７、光ファイバ１０を介して表示装置１−１から送信された応答光信号を受光して光信号を電気信号に変換し、変換後の電気信号を制御部２０へ出力してステップＶ７へ移行する。
【００７１】
ステップＶ７では、応答光信号を規定時間内に正常受信したかを判定する。例えば、制御部２０は、ステップＶ４でカウントを開始したタイマー値を参照して、この値と所定の規定値とを比較して規定時間内に正常受信したかを判定する。応答光信号を正常受信した場合、ステップＶ８へ移行する。応答光信号を正常受信しなかった場合、ステップＶ９へ移行する。
【００７２】
ステップＶ９では、経路設定用光信号の送信をリトライしたかを判定する。例えば、制御部２０は、リトライしたと判定した場合、ステップＶ１０へ移行する。リトライしていなかったと判定した場合、ステップＶ３へ戻る。このようにして、表示装置１が接続されていないと直ぐに判断するのではなく、規定回数のリトライを実施するので、伝送路系の一時的な接触不良や、通信エラーなどで応答光信号を規定時間内に正常受信できなかった場合に対応できるようになる。
【００７３】
ステップＶ８では、波長対照一覧テーブル２８へ表示装置１の固有識別子と波長λＤｋを追加する。例えば、制御部２０は、入力した応答信号に、固有識別子「Ａ−００１」と波長「λＤ１」との情報が含まれていた場合、制御部２０は、固有識別子「Ａ−００１」と波長「λＤ１」との対応関係を図３に示した波長対照一覧テーブル２８に追加してステップＶ１０へ移行する。
【００７４】
ステップＶ１０では、ｋ＜ｎであるかを判定する。例えば、制御部２０は、カウンター値ｋが表示装置１の最大接続数ｎを超えているかを判定する。カウンター値ｋが表示装置１の最大接続数ｎを超えていない場合、ステップＶ１１へ移行し、ステップＶ１１で、ｋ←ｋ＋１を代入してステップＶ３へ戻り、例えば波長λＤ２の経路設定用光信号を経路切替装置２を介して表示装置１−２へ送信する。カウンター値ｋが表示装置１の最大接続数ｎを超えている場合、表示装置１と波長とを対応付ける処理の終了となる。このようにして、表示装置１−１〜１−ｎが受信する音声映像光信号の波長情報λＤ１〜λＤｎを送信装置３で取得できるようになる。従って、送信装置３は、波長情報λＤ１〜λＤｎに基づいて音声映像光信号および経路設定用信号を波長分割多重し、表示装置１−１〜１−ｎへ同時に光信号を伝送できるようになる。
【００７５】
続いて、音声映像光信号を表示装置１−１で受信する場合における動作例を表示装置１、経路切替装置２、送信装置３の順番で説明する。
【００７６】
図７は、表示装置１の動作例を示すフローチャートである。表示装置１−１の固有識別子「Ａ−００１」と波長「λＤ１」との対応関係が追加された波長対照一覧テーブル２８が送信装置３の図示しないハードディスクやフラッシュＲＯＭなどに保存されている。
【００７７】
これを表示装置１で音声映像光信号を受信する条件として、図７に示すフローチャートのステップＷ１では、表示装置１が経路切替装置２を介して音声映像取得光信号を送信装置３へ送信する。例えば、表示装置１−１の図示しない操作部により、所望のコンテンツが選択される。このときに、表示装置１−１の図示しない制御部から発光素子５−１へ音声映像取得信号が出力され、発光素子５−１は、この信号の電気信号を光信号に変換して経路切替装置２へ音声映像取得光信号として発光してステップＷ２へ移行する。
【００７８】
ステップＷ２では、経路切替装置２を介して送信装置３から音声映像光信号を受信する。例えば、受光素子４−１は、Ｉ／Ｏポート６−１、光ファイバ８−１を介して経路切替装置２から音声映像光信号を受光してこの光信号を電気信号に変換して後段の処理へ電気信号を出力する。出力後、図示しないモニタなどに映像を表示すると共にスピーカーなどから音声を出力する。
【００７９】
図８は、経路切替装置２の動作例を示すフローチャートである。図８に示すフローチャートのステップＸ１では、表示装置１から音声映像取得光信号を受信する。例えば、光信号合波器１３は、表示装置１−１から光ファイバ８−１、Ｉ／Ｏポート１４−１を介して音声映像取得光信号を受信してステップＸ２へ移行する。
【００８０】
ステップＸ２では、音声映像取得光信号を送信装置３へ送信する。例えば、光信号合波器１３で音声映像取得光信号を合波してＩ／Ｏポート１６、光ファイバ１０を介して送信装置３へ送信してステップＸ３へ移行する。
【００８１】
ステップＸ３では、送信装置３から音声映像光信号を受信する。例えば、経路切替手段１２−１は、送信装置３から光ファイバ１０、Ｉ／Ｏポート１６を介して波長λＤ１の音声映像光信号を受信してステップＸ４へ移行する。
【００８２】
ステップＸ４では、伝送経路を切り替えてＩ／Ｏポートへ音声映像光信号を出力する。例えば、経路切替手段１２−１は、送信装置３から送信された波長λＤ１の波長λＤ１の音声映像光信号を当該光信号の波長λＤ１に基づいて分離して伝送経路を切り替え、Ｉ／Ｏポート１４−１、光ファイバ８−１を介して音声映像光信号を表示装置１−１へ伝送する。これにより、表示装置１−１は、図示しないモニタなどに所望の映像を表示できると共にスピーカーなどから音声を出力できるようになる。
【００８３】
図９は、送信装置３の動作例を示すフローチャートである。表示装置１−１の固有識別子「Ａ−００１」と波長「λＤ１」との対応関係が追加された波長対照一覧テーブル２８が図示しないハードディスクやフラッシュＲＯＭなどに保存されている。
【００８４】
これを送信装置３で音声映像光信号を送信する条件として、図９に示すステップＹ１では、経路切替装置２を介して表示装置１から送信された音声映像取得光信号を受信する。例えば、受光素子１９は、Ｉ／Ｏポート２７、光ファイバ１０を介して表示装置１−１から送信された音声映像取得光信号を受光して光信号を電気信号に変換し、変換後の電気信号を制御部２０へ出力してステップＹ２へ移行する。
【００８５】
ステップＹ２では、波長対照一覧テーブル２８を検索する。例えば、制御部２０は、音声映像取得信号の電気信号に基づいて、図３に示した波長対照一覧テーブル２８を検索する。具体的には、この電気信号に、表示装置１−１の固有識別子「Ａ−００１」の情報が含まれており、制御部２０は、この固有識別子「Ａ−００１」を検索キーにして波長対照一覧テーブル２８を検索してステップＹ３へ移行する。
【００８６】
ステップＹ３では、検索合致した波長に音声映像光信号を設定する。例えば、制御部２０は、固有識別子「Ａ−００１」を検索キーにして波長対照一覧テーブル２８を検索した結果、波長λＤ１の波長情報を取得し、この波長情報を信号切替器２４に設定する。また、制御部２０は、音声映像取得信号の電気信号に基づいて、所望のコンテンツにおける音声映像信号を生成するように音声映像信号生成部２３を制御する。音声映像信号生成部２３は、制御部２０により指定されたコンテンツの音声映像信号を生成して信号合波器２２へ出力する。信号合波器２２は、音声映像信号生成部２３から出力された音声映像信号を合波し、合波された音声映像信号を信号切替器２４へ出力する。信号切替器２４は、この音声映像信号を制御部２０により設定された波長λＤ１にするために、発光素子を発光素子２５−１に切り替えて音声映像信号をこの発光素子２５−１に出力してステップＹ４へ移行する。
【００８７】
ステップＹ４では、波長が設定された音声映像光信号を経路切替装置２を介して表示装置１へ送信する。例えば、発光素子２５−１は、音声映像信号の電気信号を波長λＤ１の光信号に変換して光信号合波器２６へ音声映像光信号として発光する。光信号合波器２６は、発光素子２５−１から音声映像光信号を入力して合波し、合波後、Ｉ／Ｏポート２７、光ファイバ１０、経路切替装置２を介して表示装置１−１へ波長分割多重送信する。
【００８８】
このように、本発明に係る第１の実施例の音声映像光信号の伝送システム１００及びその伝送方法によれば、送信装置３から表示装置１−１〜１−ｎへ音声映像光信号を伝送する場合であって、送信装置３は、音声映像光信号の送信先を特定する波長で表示装置１−１〜１−ｎへ経路設定用光信号を送信し、この経路設定用光信号に対する応答光信号を該表示装置から受信し、この応答光信号に基づいて各々の波長と送信先の表示装置とを対応付け、音声映像光信号を波長分割多重して経路切替装置２に送信するものである。
【００８９】
また、本発明に係る経路切替装置２によれば、送信装置３から表示装置１−１〜１−ｎへ伝送する音声映像光信号の光路を分離する場合であって、経路切替手段１２により音声映像光信号の波長に基づいて当該音声映像光信号の光路を分離し、光信号合波器１３により表示装置１−１〜１−ｎから送信された１以上の応答光信号などを合波するものである。
【００９０】
従って、経路切替装置２に接続された表示装置１−１〜１−ｎに波長の異なる音声映像光信号を同時に伝送できるようになる。これにより、表示装置１−１〜１−ｎで、所望の映画、テレビ映像などを選択して出力できるようになる。
【００９１】
なお、光ファイバ８及び１０には、表示装置１−１〜１−ｎから同一の波長の音声映像取得光信号などが同時に伝送される可能性があるが、送信装置３からの有効なトークンを受信している表示装置のみが光信号を送信できるようにすれば、同一波長の異なる信号が同時に伝送されてしまうことを回避できるようになる。
【実施例２】
【００９２】
図１０は、第２の実施例としての音声映像光信号の伝送システム２００の構成例を示すブロック図である。図１０に示す伝送システム２００は、音声映像信号の表示装置１’−１〜１’−ｎ（ｎは表示装置１’の最大接続数）、経路切替装置２０１、音声映像信号の送信装置３’、第１の光ファイバ８’、第２の光ファイバ９、第３の光ファイバ１０’、及び第４の光信号伝送１１を備える。
【００９３】
音声映像信号の表示装置１’は、光ファイバ８’及び９を介して経路切替装置２０１に接続され、音声映像光信号の送信先を特定する波長に設定された経路設定用光信号を送信装置３’から受信し、その後、送信装置３’へこの経路設定用光信号に対する応答光信号を送信する。また、送信装置３’から音声映像光信号を受信して図示しないモニタなどに映像を表示すると共にスピーカーなどから音声を出力する。
【００９４】
この例では、表示装置が１’−１〜１’−ｎ、光ファイバが８’−１〜８’−ｎ、９−１〜９−ｎほど備えられ、各々の表示装置が各々の光ファイバを介して経路切替装置２０１に接続されている。例えば、表示装置１’−１は、光ファイバ８’−１及び９−１を介して経路切替装置２０１に接続されている。
【００９５】
表示装置１’−１は、例えば、受光素子４−１、発光素子５−１、音声映像光信号の入力ポート６’−１、及び制御用光信号の出力ポート７−１を備える。受光素子４−１は、入力ポート６’−１、光ファイバ８’−１を介して経路切替装置２０１に接続され、経路切替装置２０１から光信号を受光して光信号を電気信号に変換する。発光素子５−１は、出力ポート７−１、光ファイバ９−１を介して経路切替装置２０１に接続され、電気信号を光信号に変換して経路切替装置２０１へ光信号を発光する。
【００９６】
例えば、新たに、表示装置１’−１が光ファイバ８’−１を介して経路切替装置２０１に接続された場合、表示装置１’−１は、接続通知光信号を送信装置３’へ送信する。送信後、表示装置１’−１は、送信装置３’から所定の波長の光信号を受信し、この波長と表示装置１’−１の固有識別子との情報を含んだ信号を応答光信号として送信装置３’へ送信する。なお、表示装置１’−２〜１’−ｎに関しても同様の構成および作用である。
【００９７】
経路切替装置２０１は、光ファイバ８’及び９を介して表示装置１’に接続され、この表示装置１’から送信される応答用光信号を受信して送信装置３’へ送信する。また、経路切替装置２０１は、光ファイバ１０’及び１１を介して送信装置３’に接続され、この送信装置３’から送信される音声映像光信号を受信してこの音声映像光信号を分離して伝送経路を切り替えて各々の表示装置１’−１〜１’−ｎへ送信する。
【００９８】
例えば、経路切替装置２０１は、経路切替手段１２−１〜１２−ｎ、光信号合波器１３、音声映像光信号の出力ポート１４’−１〜１４’−ｎ、制御用光信号の入力ポート１５−１〜１５−ｎ、音声映像光信号の入力ポート１６’、及び制御用光信号の出力ポート１７を備える。
【００９９】
光信号合波器１３は、光ファイバ８’−１〜８’−ｎ、出力ポート１４’−１〜１４’−ｎを介して表示装置１’−１〜１’−ｎに接続され、例えば応答光信号を表示装置１’−１〜１’−ｎから受信し、これらの光信号を合波して出力ポート１７、光ファイバ１１を介して送信装置３’へ送信する。
【０１００】
経路切替手段１２−１は、入力ポート１６’、光ファイバ１０’を介して送信装置３’に接続され、この送信装置３’から音声映像光信号を受信する。経路切替手段１２−２は、経路切替手段１２−１に接続され、経路切替手段１２−３は、経路切替手段１２−２に接続され、経路切替手段１２−ｎは、経路切替手段１２−ｎ−１に接続されている。
【０１０１】
経路切替手段１２−１は、送信装置３’から送信される音声映像光信号を当該光信号の波長に基づいて分離して伝送経路を切り替え、出力ポート１４’−１、光ファイバ８’−１を介して音声映像光信号を表示装置１’−１へ伝送する。経路切替手段１２−２は、経路切替手段１２−１を通過した音声映像光信号を当該光信号の波長に基づいて分離して伝送経路を切り替え、出力ポート１４’−２、光ファイバ８’−２を介して音声映像光信号を表示装置１’−２へ伝送する。同様にして、経路切替手段１２−ｎは、経路切替手段１２−ｎ−１を通過した音声映像光信号を当該光信号の波長に基づいて分離して伝送経路を切り替え、出力ポート１４’−ｎ、光ファイバ８’−ｎを介して音声映像光信号を表示装置１’−ｎへ伝送する。
【０１０２】
例えば、経路切替手段１２−１は、１以上の波長から構成される光信号の中から波長λＤ１の光信号のみを分離し、出力ポート１４’−１、光ファイバ８’−１を介して波長λＤ１の音声映像光信号を表示装置１’−１へ伝送する。このとき、経路切替手段１２−１は、他の波長の光信号を通過させて経路切替手段１２−２へ出力する。経路切替手段１２−２は、１以上の波長から構成される光信号の中から波長λＤ２の光信号のみを分離し、出力ポート１４’−２、光ファイバ８’−２を介して波長λＤ２の音声映像光信号を表示装置１’−２へ伝送する。このとき、経路切替手段１２−２は、他の波長の光信号を通過させて経路切替手段１２−３へ出力する。このようにして、経路切替手段１２−ｎまで波長に応じて光信号の分離を続ける。なお、経路切替装置２０１に経路切替手段１２をｎ個ほど設けたが、経路切替手段１２の設置個数をｎ−１個にしてもよい。この場合、経路切替手段１２−ｎ−１を通過した光信号は、自動的に表示装置１−ｎへ伝送される。
【０１０３】
音声映像信号の送信装置３’は、光ファイバ１０’及び１１を介して経路切替装置２０１に接続され、表示装置１’から送信された接続通知光信号を受信し、受信後、音声映像光信号の送信先を特定する波長で表示装置１’へ経路設定用光信号を送信する。また、送信装置３’は、表示装置１’からの応答光信号に基づいて各々の波長と送信先の表示装置１’とを対応付け、対応付けられた各々の波長に基づいて音声映像光信号を波長分割多重して経路切替装置２０１に送信する。
【０１０４】
これにより、経路切替装置２０１に接続された表示装置１’−１に波長λＤ１の音映像光信号を伝送でき、更に、表示装置１’−２に波長λＤ２の音映像光信号を伝送できるようになる。従って、表示装置１’−１及び１’−２へ同時に音映像光信号を伝送できるようになる。これにより、表示装置１’−１及び１’−２で、所望の音声映像を受信して出力できるようになる。同様にして、表示装置１’−３〜１’−ｎに対しても波長λＤ３〜波長λＤｎの音映像光信号を伝送できるようになる。
【０１０５】
送信装置３’は、例えば、制御用光信号の入力ポート１８、受光素子１９、制御部２０、制御信号生成部２１、信号合波器２２、音声映像信号生成部２３、波長可変発光素子２５’、発光波長制御部２９、及び音声映像光信号の出力ポート２７’を備える。
【０１０６】
受光素子１９は、入力ポート１８、光ファイバ１１を介して経路切替装置２０１に接続され、この経路切替装置２０１から送信された応答光信号を受光して光信号を電気信号に変換し、変換後、応答の電気信号を制御部２０へ出力する。
【０１０７】
制御部２０は、受光素子１９に接続され、受光素子１９から電気信号を入力する。入力後、制御部２０は、この電気信号に基づいて、音声映像信号の波長と固有識別子とを関連付ける。例えば、入力した応答信号に、固有識別子「Ａ−００１」と波長「λＤ１」との情報が含まれていた場合、制御部２０は、固有識別子「Ａ−００１」と波長「λＤ１」との対応関係を図３に示した波長対照一覧テーブル２８に追加して保持する。
【０１０８】
制御信号生成部２１は、制御部２０に接続され、この制御部２０において表示装置１’からの接続通知信号を受信した場合、波長λＤの経路設定用信号を生成して信号合波器２２へ出力する。
【０１０９】
信号合波器２２は、制御信号生成部２１および音声映像信号生成部２３に接続され、制御信号生成部２１から出力される波長λＤの経路設定用信号と音声映像信号生成部２３から出力される音声映像信号とを入力して合波し、合波された信号を波長可変発光素子２５’へ出力する。
【０１１０】
発光波長制御部２９は、制御部２０に接続され、制御部２０から発光波長を制御するための波長制御信号を入力する。発光波長制御部２９は、この波長制御信号に基づいて音声映像信号又は経路設定用信号の波長を波長λＤ１〜波長λＤｎのいずれかに設定し、波長が設定された波長設定信号を波長可変発光素子２５’へ出力する。
【０１１１】
波長可変発光素子２５’は、波長λＤ１〜波長λＤｎの光を発光することが可能な波長可変素子であり、信号合波器２２および発光波長制御部２９に接続され、信号合波器２２から音声映像信号又は経路設定用信号を入力し、また、発光波長制御部２９から波長設定信号を入力する。波長可変発光素子２５’は、この波長設定信号に基づいて音声映像信号又は経路設定用信号の波長を設定し、設定後、電気信号を光信号に変換して出力ポート２７’、光ファイバ１０’を介して経路切替装置２０１へ音声映像光信号又は経路設定用光信号を発光する。
【０１１２】
第２の実施例は、第１の実施例と比較して、光ファイバ８’及び９、光ファイバ１０’及び１１の各２本（２芯）の光ファイバで構成されている。これにより、光は信号が流れる方向で別々の光ファイバを伝搬するので、クロストークの影響を抑えることができるようになる。なお、光ファイバは２本となるが、各装置に装備される信号入力ポート、信号出力ポートは一体化してもよい。
【０１１３】
また、第１の実施例では、信号切替器２４、発光素子２５−１〜２５−ｎ、及び光信号合波器２６を設けたが、第２の実施例では、これらの機器に替えて、波長可変発光素子２５’、発光波長制御部２９を設けた。これにより、送信装置３’の構成をシンプルにすることができる。
【０１１４】
図１１は、経路切替装置２０２の構成例を示すブロック図である。図１１に示す経路切替装置２０２は、１以上の波長から構成される光信号の中から所定の光信号を分離するグレーティング構造を有する。経路切替装置２０２は、光ファイバ８’及び９を介して図１０に示した表示装置１’に接続され、この表示装置１’から送信される応答光信号を受信して図１０に示した送信装置３’へ送信する。また、経路切替装置２０２は、光ファイバ１０’及び１１を介して送信装置３’に接続され、この送信装置３’から送信される音声映像光信号を受信してこの音声映像光信号を分離して伝送経路を切り替えて各々の表示装置１’−１〜１’−ｎへ送信する。
【０１１５】
例えば、経路切替装置２０２は、導波路グレーティング２１２−１〜２１２−ｎ、光信号合波器１３、音声映像光信号の出力ポート１４’−１〜１４’−ｎ、制御用光信号の入力ポート１５−１〜１５−ｎ、音声映像光信号の入力ポート１６’、及び制御用光信号の出力ポート１７を備える。
【０１１６】
光信号合波器１３は、光ファイバ８’−１〜８’−ｎ、出力ポート１４’−１〜１４’−ｎを介して表示装置１’−１〜１’−ｎに接続され、例えば応答光信号を表示装置１’−１〜１’−ｎから受信し、これらの光信号を合波して出力ポート１７、光ファイバ１１を介して送信装置３’へ送信する。
【０１１７】
導波路グレーティング２１２−１は、入力ポート１６’、光ファイバ１０’を介して送信装置３’に接続され、この送信装置３’から音声映像光信号を受信する。導波路グレーティング２１２−２は、導波路グレーティング２１２−１に接続され、導波路グレーティング２１２−３は、導波路グレーティング２１２−２に接続され、導波路グレーティング２１２−ｎは、導波路グレーティング２１２−ｎ−１に接続されている。
【０１１８】
導波路グレーティング２１２−１は、送信装置３’から送信される音声映像光信号を当該光信号の波長に基づいて分離して伝送経路を切り替え、出力ポート１４’−１、光ファイバ８’−１を介して音声映像光信号を表示装置１’−１へ伝送する。導波路グレーティング２１２−２は、導波路グレーティング２１２−１を通過した音声映像光信号を当該光信号の波長に基づいて分離して伝送経路を切り替え、出力ポート１４’−２、光ファイバ８’−２を介して音声映像光信号を表示装置１’−２へ伝送する。同様にして、導波路グレーティング２１２−ｎは、導波路グレーティング２１２−ｎ−１を通過した音声映像光信号を当該光信号の波長に基づいて分離して伝送経路を切り替え、出力ポート１４’−ｎ、光ファイバ８’−ｎを介して音声映像光信号を表示装置１’−ｎへ伝送する。なお、導波路グレーティングを使用する場合、反射光の伝送経路が入射光と同一である場合とない場合がある。反射光の経路と入射光の経路が同一の場合、反射光の伝送経路を分離するための経路変更素子が必要となる。
【０１１９】
ここで、グレーティングとは、伝送路上に周期的な屈折率変動を与えて特定の光波長のみを反射させる構造をいう。例えば、導波路グレーティングは、光ファイバのコア、或いは半導体や高分子化合物で作製される光導波路素子に、このグレーティングを施すことにより特定の光波長の信号を伝送路上で分離したり、逆に付加したりする。これにより、温度調整や反射波長の変更を行わない限り、基本的に動作電力は不要である。導波路グレーティングの作製過程は、例えば、光ファイバ製造技術の応用である火炎直接堆積（Flame Hydrolysis Deposition; FHD）法により、光導波路素子の下部クラッド層およびコア層となるガラス微粒子を堆積し、加熱してガラス膜を溶融透明化する。この後、半導体集積回路製造技術であるフォトリソグラフィと反応性イオンエッチング（Reactive Ion Etching; RIE）で所望の導波路パターンを形成し、再びＦＨＤ法により上部クラッドを形成する。
【０１２０】
これにより、例えば１以上の波長から構成される光信号の中から波長λＤ１の光信号のみを分離し、出力ポート１４’−１、光ファイバ８’−１を介して波長λＤ１の音声映像光信号を表示装置１’−１へ伝送する導波路グレーティング２１２−１を形成できるようになる。このとき、導波路グレーティング２１２−１は、他の波長の光信号を通過させて導波路グレーティング２１２−２へ出力する。
【０１２１】
導波路グレーティング２１２−２も同様の方法で形成され、１以上の波長から構成される光信号の中から波長λＤ２の光信号のみを分離し、出力ポート１４’−２、光ファイバ８’−２を介して波長λＤ２の音声映像光信号を表示装置１’−２へ伝送する。このとき、導波路グレーティング２１２−２は、他の波長の光信号を通過させて導波路グレーティング２１２−３へ出力する。このようにして、導波路グレーティング２１２−ｎまで波長に応じて光信号の分離を続ける。従って、経路切替装置２０２は、波長情報に基づいて送信装置３’により波長分割多重された音声映像光信号を、伝送経路を切り替えて表示装置１’−１〜１’−ｎへ伝送できるようになる。なお、経路切替装置２０２に導波路グレーティング２１２をｎ個ほど設けたが、導波路グレーティング２１２の設置個数をｎ−１個にしてもよい。この場合、導波路グレーティング２１２−ｎ−１を通過した光信号は、自動的に表示装置１’−ｎへ伝送される。
【０１２２】
図１２は、経路切替装置２０３の構成例を示すブロック図である。図１２に示す経路切替装置２０３は、１以上の波長から構成される光信号の中から所定の光信号を分離するグレーティング構造を有する。経路切替装置２０３は、光ファイバ８’及び９を介して図１０に示した表示装置１’に接続され、この表示装置１’から送信される応答光信号を受信して送信装置３’へ送信する。また、経路切替装置２０３は、光ファイバ１０’及び１１を介して送信装置３’に接続され、この送信装置３’から送信される音声映像光信号を受信してこの音声映像光信号を分離して伝送経路を切り替えて各々の表示装置１’−１〜１’−ｎへ送信する。
【０１２３】
例えば、経路切替装置２０３は、光ファイバグレーティング２１３−１〜２１３−ｎ、光信号合波器１３、音声映像光信号の出力ポート１４’−１〜１４’−ｎ、制御用光信号の入力ポート１５−１〜１５−ｎ、音声映像光信号の入力ポート１６’、制御用光信号の出力ポート１７、及び経路変更素子３０を備える。
【０１２４】
光信号合波器１３は、光ファイバ８’−１〜８’−ｎ、出力ポート１４’−１〜１４’−ｎを介して表示装置１’−１〜１’−ｎに接続され、例えば応答光信号を表示装置１’−１〜１’−ｎから受信し、これらの光信号を合波して出力ポート１７、光ファイバ１１を介して送信装置３’へ送信する。
【０１２５】
光ファイバグレーティング２１３−１は、入力ポート１６’、光ファイバ１０’を介して送信装置３’に接続され、この送信装置３’から音声映像光信号を受信する。光ファイバグレーティング２１３−２は、光ファイバグレーティング２１３−１に接続され、光ファイバグレーティング２１３−３は、光ファイバグレーティング２１３−２に接続され、光ファイバグレーティング２１３−ｎは、光ファイバグレーティング２１３−ｎ−１に接続されている。
【０１２６】
光ファイバグレーティング２１３−１は、送信装置３’から送信される音声映像光信号を当該光信号の波長に基づいて分離して伝送経路を切り替え、出力ポート１４’−１、光ファイバ８’−１を介して音声映像光信号を表示装置１’−１へ伝送する。光ファイバグレーティング２１３−２は、光ファイバグレーティング２１３−１を通過した音声映像光信号を当該光信号の波長に基づいて分離して伝送経路を切り替え、出力ポート１４’−２、光ファイバ８’−２を介して音声映像光信号を表示装置１’−２へ伝送する。
【０１２７】
同様にして、光ファイバグレーティング２１３−ｎは、光ファイバグレーティング２１３−ｎ−１を通過した音声映像光信号を当該光信号の波長に基づいて分離して伝送経路を切り替え、出力ポート１４’−ｎ、光ファイバ８’−ｎを介して音声映像光信号を表示装置１’−ｎへ伝送する。なお、光ファイバグレーティングを使用する場合、反射光の伝送経路が入射光と同一であるため、反射光の伝送経路を分離するための経路変更素子３０が必要となる。
【０１２８】
光ファイバグレーティング（Fiber Bragg Grating; FBG）とは、紫外線を用いて光ファイバのコアの中に回折格子を形成し、光フィルタとしての機能を持たせた光ファイバ型デバイスである。回折格子を光ファイバ中に非破壊的に直接形成できるので、低損失、小型、信頼性、伝送用光ファイバとの整合性などの多くの利点を有している。
【０１２９】
光ファイバグレーティングは、例えば、ゲルマニア（GeO2）をドープした光ファイバのコアに、波長２５０ｎｍ前後の紫外光を照射して光誘起屈折率変化によりその屈折率を変化させて形成される。この光誘起屈折率変化の大きさは、ゲルマニアのドープ量に比例する。ＦＢＧは、光ファイバのコアに紫外光の干渉縞を形成し、周期的な屈折率変化を書き込んだもので、これは回折格子として機能する。
【０１３０】
これにより、例えば１以上の波長から構成される光信号の中から波長λＤ１の光信号のみを分離し、出力ポート１４’−１、光ファイバ８’−１を介して波長λＤ１の音声映像光信号を表示装置１’−１へ伝送する光ファイバグレーティング２１３−１を形成できるようになる。このとき、光ファイバグレーティング２１３−１は、他の波長の光信号を通過させて光ファイバグレーティング２１３−２へ出力する。
【０１３１】
光ファイバグレーティング２１３−２も同様の方法で形成され、１以上の波長から構成される光信号の中から波長λＤ２の光信号のみを分離し、出力ポート１４’−２、光ファイバ８’−２を介して波長λＤ２の音声映像光信号を表示装置１’−２へ伝送する。このとき、光ファイバグレーティング２１３−２は、他の波長の光信号を通過させて光ファイバグレーティング２１３−３へ出力する。このようにして、光ファイバグレーティング２１３−ｎまで波長に応じて光信号の分離を続ける。なお、経路切替装置２０３に光ファイバグレーティング２１３をｎ個ほど設けたが、光ファイバグレーティング２１３の設置個数をｎ−１個にしてもよい。この場合、光ファイバグレーティング２１３−ｎ−１を通過した光信号は、自動的に表示装置１’−ｎへ伝送される。
【０１３２】
図１３は、経路切替装置２０４の構成例を示すブロック図である。図１３に示す経路切替装置２０４は、１以上の波長から構成される光信号の中から所定の光信号を分離する薄膜構造を有する。経路切替装置２０４は、光ファイバ８’及び９を介して図１０に示した表示装置１’に接続され、この表示装置１’から送信される応答光信号を受信して送信装置３’へ送信する。また、経路切替装置２０４は、光ファイバ１０’及び１１を介して送信装置３’に接続され、この送信装置３’から送信される音声映像光信号を受信してこの音声映像光信号を分離して伝送経路を切り替えて各々の表示装置１’−１〜１’−ｎへ送信する。
【０１３３】
例えば、経路切替装置２０４は、薄膜フィルタ２１４−１〜２１４−ｎ、光信号合波器１３、音声映像光信号の出力ポート１４’−１〜１４’−ｎ、制御用光信号の入力ポート１５−１〜１５−ｎ、音声映像光信号の入力ポート１６’、及び制御用光信号の出力ポート１７を備える。
【０１３４】
光信号合波器１３は、光ファイバ８’−１〜８’−ｎ、出力ポート１４’−１〜１４’−ｎを介して表示装置１’−１〜１’−ｎに接続され、例えば応答光信号を表示装置１’−１〜１’−ｎから受信し、これらの光信号を合波して出力ポート１７、光ファイバ１１を介して送信装置３’へ送信する。
【０１３５】
薄膜フィルタ２１４−１は、入力ポート１６’、光ファイバ１０’を介して送信装置３’に接続され、この送信装置３’から音声映像光信号を受信する。薄膜フィルタ２１４−２は、薄膜フィルタ２１４−１に接続され、薄膜フィルタ２１４−３は、薄膜フィルタ２１４−２に接続され、薄膜フィルタ２１４−ｎは、薄膜フィルタ２１４−ｎ−１に接続されている。
【０１３６】
薄膜フィルタ２１４−１は、送信装置３’から送信される音声映像光信号を当該光信号の波長に基づいて分離して伝送経路を切り替え、出力ポート１４’−１、光ファイバ８’−１を介して音声映像光信号を表示装置１’−１へ伝送する。薄膜フィルタ２１４−２は、薄膜フィルタ２１４−１を通過した音声映像光信号を当該光信号の波長に基づいて分離して伝送経路を切り替え、出力ポート１４’−２、光ファイバ８’−２を介して音声映像光信号を表示装置１’−２へ伝送する。
【０１３７】
同様にして、薄膜フィルタ２１４−ｎは、薄膜フィルタ２１４−ｎ−１を通過した音声映像光信号を当該光信号の波長に基づいて分離して伝送経路を切り替え、出力ポート１４’−ｎ、光ファイバ８’−ｎを介して音声映像光信号を表示装置１’−ｎへ伝送する。なお、薄膜フィルタ２１４を使用する場合は反射光の伝送経路が入射光と同一となる場合があるため、反射光の伝送経路を分離するための図示しない経路変更素子が必要となる。
【０１３８】
薄膜フィルタは、構成する材料の屈折率、層厚および層数によって、透過或いは反射する光の波長を選択する。これにより、例えば１以上の波長から構成される光信号の中から波長λＤ１の光信号のみを分離し、出力ポート１４’−１、光ファイバ８’−１を介して波長λＤ１の音声映像光信号を表示装置１’−１へ伝送する薄膜フィルタ２１４−１を形成できるようになる。このとき、薄膜フィルタ２１４−１は、他の波長の光信号を通過させて薄膜フィルタ２１４−２へ出力する。
【０１３９】
薄膜フィルタ２１４−２も同様の方法で形成され、１以上の波長から構成される光信号の中から波長λＤ２の光信号のみを分離し、出力ポート１４’−２、光ファイバ８’−２を介して波長λＤ２の音声映像光信号を表示装置１’−２へ伝送する。このとき、薄膜フィルタ２１４−２は、他の波長の光信号を通過させて薄膜フィルタ２１４−３へ出力する。このようにして、薄膜フィルタ２１４−ｎまで波長に応じて光信号の分離を続ける。なお、経路切替装置２０４に薄膜フィルタ２１４をｎ個ほど設けたが、薄膜フィルタ２１４の設置個数をｎ−１個にしてもよい。この場合、薄膜フィルタ２１４−ｎ−１を通過した光信号は、自動的に表示装置１’−ｎへ伝送される。
【０１４０】
図１４は、経路切替装置２０５の構成例を示すブロック図である。図１４に示す経路切替装置２０５は、１以上の波長から構成される光信号の中から所定の当該光信号を分離するプリズム２１５を備える。経路切替装置２０５は、光ファイバ８’及び９を介して図１０に示した表示装置１’に接続され、この表示装置１’から送信される応答光信号を受信して送信装置３’へ送信する。また、経路切替装置２０５は、光ファイバ１０’及び１１を介して送信装置３’に接続され、この送信装置３’から送信される音声映像光信号を受信してこの音声映像光信号を分離して伝送経路を切り替えて各々の表示装置１’−１〜１’−ｎへ送信する。
【０１４１】
例えば、経路切替装置２０５は、プリズム２１５、光信号合波器１３、音声映像光信号の出力ポート１４’−１〜１４’−ｎ、制御用光信号の入力ポート１５−１〜１５−ｎ、音声映像光信号の入力ポート１６’、及び制御用光信号の出力ポート１７を備える。
【０１４２】
光信号合波器１３は、光ファイバ８’−１〜８’−ｎ、出力ポート１４’−１〜１４’−ｎを介して表示装置１’−１〜１’−ｎに接続され、例えば応答光信号を表示装置１’−１〜１’−ｎから受信し、これらの光信号を合波して出力ポート１７、光ファイバ１１を介して送信装置３’へ送信する。
【０１４３】
プリズム２１５は、入力ポート１６’、光ファイバ１０’を介して送信装置３’に接続され、この送信装置３’から音声映像光信号を受信する。
【０１４４】
プリズム２１５は、送信装置３’から送信される音声映像光信号を当該光信号の波長に基づいて分離して伝送経路を切り替え、出力ポート１４’、光ファイバ８’を介して音声映像光信号を表示装置１’へ伝送する。
【０１４５】
プリズム２１５に対して入射角θ１で光が入射すると、スネルの法則（Snell's Law）に従って屈折光の屈折角θ２が決定される。屈折角θ２は、入射光側の媒体の屈折率をｎ１、屈折光側の媒体の屈折率をｎ２（ｎ１＜ｎ２）とすると、数１で与えられる。
【０１４６】
【数１】
2007318255.tif 000003
【０１４７】
ここで、プリズム２１５の材料によって屈折率が入射光の波長依存性を有することを利用すると、入射光の波長によって屈折率ｎ２が異なるため、屈折角θ２も異なってくる。
【０１４８】
これにより、例えば１以上の波長から構成される光信号の中から波長λＤ１の光信号のみを分離し、出力ポート１４’−１、光ファイバ８’−１を介して波長λＤ１の音声映像光信号を表示装置１’−１へ伝送するプリズム２１５を形成できるようになる。
【０１４９】
また、プリズム２１５は、１以上の波長から構成される光信号の中から波長λＤ２の光信号のみを分離し、出力ポート１４’−２、光ファイバ８’−２を介して波長λＤ２の音声映像光信号を表示装置１’−２へ伝送する。このようにして、波長λＤｎまでプリズム２１５は光信号を分離する。
【０１５０】
このように、本発明に係る第２の実施例の音声映像光信号の伝送システム２００及びその伝送方法によれば、送信装置３’から表示装置１’−１〜１−ｎへ音声映像光信号を伝送する場合であって、送信装置３’は、音声映像光信号の送信先を特定する波長で表示装置１’−１〜１−ｎへ経路設定用光信号を送信し、この経路設定用光信号に対する応答光信号を該表示装置から受信し、この応答光信号に基づいて各々の波長と送信先の表示装置とを対応付け、音声映像光信号を波長分割多重して経路切替装置２’に送信するものである。
【０１５１】
また、本発明に係る経路切替装置２’によれば、送信装置３’から表示装置１’−１〜１’−ｎへ伝送する音声映像光信号の光路を分離する場合であって、経路切替手段１２により音声映像光信号の波長に基づいて当該音声映像光信号の光路を分離し、光信号合波器１３により表示装置１’−１〜１’−ｎから送信された１以上の応答光信号などを合波するものである。
【０１５２】
従って、経路切替装置２’に接続された表示装置１’−１〜１−ｎに波長の異なる音声映像光信号を同時に伝送できるようになる。これにより、表示装置１’−１〜１’−ｎで、所望の映画、テレビ映像などを選択して出力できるようになる。
【産業上の利用可能性】
【０１５３】
動画などの音声映像情報を光信号として伝送するシステムに適用して好適である。
【図面の簡単な説明】
【０１５４】
【図１】本発明に係る第１の実施例としての音声映像光信号の伝送システム１００の構成例を示すブロック図である。
【図２】表示装置１−１と波長を対応付ける例を示すシーケンスチャートである。
【図３】波長対照一覧テーブル２８の例を示す説明図である。
【図４】表示装置１の動作例を示すフローチャートである。
【図５】経路切替装置２の動作例を示すフローチャートである。
【図６】送信装置３の動作例を示すフローチャートである。
【図７】表示装置１の動作例を示すフローチャートである。
【図８】経路切替装置２の動作例を示すフローチャートである。
【図９】送信装置３の動作例を示すフローチャートである。
【図１０】第２の実施例としての音声映像光信号の伝送システム２００の構成例を示すブロック図である。
【図１１】経路切替装置２０２の構成例を示すブロック図である。
【図１２】経路切替装置２０３の構成例を示すブロック図である。
【図１３】経路切替装置２０４の構成例を示すブロック図である。
【図１４】経路切替装置２０５の構成例を示すブロック図である。
【符号の説明】
【０１５５】
１・・・音声映像信号の表示装置（受信装置）、２・・・経路切替装置（光路分離装置）、３・・・音声映像信号の送信装置、８〜１１・・・第１〜第４の光ファイバ（光信号伝送路）、１２・・・経路切替手段（光路分離手段）、１３・・・光信号合波器（光合波手段）、２１２・・・導波路グレーティング、２１３・・・光ファイバグレーティング、２１４・・・薄膜フィルタ、２１５・・・プリズム
【図１】
2007318255.tif 000004
【図２】
2007318255.tif 000005
【図３】
2007318255.tif 000006
【図４】
2007318255.tif 000007
【図５】
2007318255.tif 000008
【図６】
2007318255.tif 000009
【図７】
2007318255.tif 000010
【図８】
2007318255.tif 000011
【図９】
2007318255.tif 000012
【図１０】
2007318255.tif 000013
【図１１】
2007318255.tif 000014
【図１２】
2007318255.tif 000015
【図１３】
2007318255.tif 000016
【図１４】
2007318255.tif 000017